(57)【要約】【課題】回路基板や嵌合相手の電気コネクタ等を省略することによって電気コネクタの構成を極めて簡易なものとすることを可能とする。【解決手段】電子機器を構成する製品筐体ＭＦに設けられた連結突部ＭＦａに単体のコネクタを直接的に嵌合させて、連結突部ＭＦａの表裏両面に露出している配線パターンＣＰの両接点部に導電コンタクト１２，１３の接点部１２ｄ，１３ｃをそれぞれ接触させ、従来から用いられている回路基板や、その回路基板に実装される嵌合相手となる電気コネクタを介在することなく、信号伝送媒体ＳＣの電気的な接続を簡易な構成で行うとともに、導電コンタクト１２，１３の圧接力を相殺させ、かつ電気コネクタ１０の嵌合構造における飛び出し量を低減して薄型化を図り、また反転嵌合を可能として信号伝送媒体ＳＣの端末部の引き回し方向の自由度を増大させるように構成したものである。【選択図】図２
2011171129.tif 000002
【特許請求の範囲】
【請求項１】
所定の電子回路を有する電子機器の製品筐体を構成する壁部の表面上に配線パターンが形成され、その製品筐体壁部の配線パターンに対して信号伝送媒体の端末部を電気的に接続するものであって、
前記配線パターンに弾性的に接触する接点部を有する導電性コンタクトが本体部に取り付けられた電気コネクタにおいて、
前記製品筐体を構成する壁部に、板状部材からなる連結突部が片持ち状に突出するように設けられ、その連結突部に対して前記本体部が嵌合可能となるように構成されたものであって、
前記配線パターンに、前記連結突部を構成する板状部材の表裏両面の少なくとも一方に露出する接点部が設けられているとともに、
前記導電コンタクトが、前記連結突部に対する嵌合方向と略平行な方向に沿って延在するように配置され、
その導電コンタクトの接点部は、前記本体部が前記連結突部に嵌合された状態において、前記連結突部を表裏両面から挟み込み前記配線パターンの接点部に接触するように配置されていることを特徴とする電気コネクタ。
【請求項２】
所定の電子回路を有する電子機器の製品筐体を構成する壁部の表面上に形成された配線パターンと、
その配線パターンに接点部が接触することによって信号伝送媒体の端末部を電気的に接続する導電コンタクトが本体部に取り付けられた電気コネクタと、
を備えた電気コネクタ組立体において、
前記製品筐体を構成する壁部に、板状部材からなる連結突部が片持ち状に突出するように設けられ、その連結突部に対して前記電気コネクタの本体部が嵌合可能となるように構成されたものであって、
前記配線パターンに、前記連結突部を構成する板状部材の表裏両面の少なくとも一方に露出する接点部が設けられているとともに、
前記導電コンタクトが、前記連結突部に対する嵌合方向と略平行な方向に沿って延在するように配置され、
その導電コンタクトの接点部は、前記本体部が前記連結突部に嵌合された状態において、前記連結突部を表裏両面から挟み込み前記配線パターンの接点部に接触するように配置されていることを特徴とする電気コネクタ組立体。
【請求項３】
前記導電コンタクトが、信号を伝送するシグナルコンタクトと、そのシグナルコンタクトの両側に配置された接地用のグランドコンタクトと、からなることを特徴とする請求項１記載の電気コネクタ又は請求項２の電気コネクタ組立体。
【請求項４】
前記シグナルコンタクトの両側に配置された接地用のグランドコンタクトどうしを一体的に連結するグランド連結板が設けられたものであって、
前記グランド連結板は、前記シグナルコンタクトにおける嵌合方向の前端部分よりも前方側に配置されていることを特徴とする請求項１記載の電気コネクタ又は請求項２に記載の電気コネクタ組立体。
【請求項５】
前記連結突部及び本体部には、嵌合方向において係脱可能となるように構成されたロック部が設けられていることを特徴とする請求項１記載の電気コネクタ又は請求項２のいずれかに記載の電気コネクタ組立体。
【請求項６】
前記グランドコンタクトに設けられた接点部が、前記シグナルコンタクトに設けられた接点部よりも、前記嵌合方向において前方側に配置されていることを特徴とする請求項３記載の電気コネクタ又は電気コネクタ組立体。
【発明の詳細な説明】
【技術分野】
【０００１】
本発明は、信号伝送媒体の端末部を配線パターンに電気的に接続する電気コネクタ及び電気コネクタ組立体に関する。
【背景技術】
【０００２】
一般に、携帯電話等の種々の電子機器又は電気機器において、細線同軸ケーブルやフレキシブル配線基板、或いは印刷配線基板等からなる各種信号電送媒体の端末部分を、電気コネクタを用いて印刷配線基板側に接続することが広く行われている（例えば下記の特許文献１参照）。このときの電気コネクタは、信号伝送媒体の端末部分を所定の配線パターン（回路）に接続するものであるが、通常は、例えば図１０に示されているように、製品筐体１の内部に取り付けられた回路基板２上にリセプタクルコネクタ３を実装しておき、そのリセプタクルコネクタ３に対して、細線同軸ケーブル等からなる信号伝送媒体４の端末部分を連結したプラグコネクタ５を嵌合させる構成になされている。なお、このときに用いられている一対の電気コネクタ３，５は、信号線を通して必要な情報信号の伝送を行うとともに、シールド線を通して接地用のシールド信号をグランド回路に接続させる機能を有している。
【０００３】
一方、近年になって電子機器等の小型化・薄型化が急速に進められており、それにともなって電気コネクタの低背化及び低コスト化が図られている。そのため、上述した電気コネクタ３，５の構成を簡易化することが強く要請されている。しかしながら、製品筐体１は、樹脂成形材料で製作されているため、耐熱性が低く製品筐体１に直接半田付けや電子部品の実装が出来ない状況である。従って、通常に用いられているいずれの電気コネクタも、配線パターンを有する印刷配線基板２に一方の電気コネクタ（リセプタクルコネクタ）３を実装し、他方の電気コネクタ（プラグコネクタ）５を嵌合状態とするという基本的な構成を備えたものとなっており、そのような基本的な構成の制約から、大幅な低背化及び低コスト化を図ることは難しくなって来ている。
【先行技術文献】
【特許文献】
【０００４】
【特許文献１】特開２００１−４３９３９号公報
【特許文献２】特開２００２−３２４６３６号公報
【発明の開示】
【発明が解決しようとする課題】
【０００５】
そこで本発明は、簡易な構成によって、低背化及び低コスト化を大幅に図ることができるようにした電気コネクタを提供することを目的とする。
【課題を解決するための手段】
【０００６】
上記目的を達成するため本発明においては、所定の電子回路を有する電子機器の製品筐体を構成する壁部の表面上に配線パターンが形成され、その製品筐体壁部の配線パターンに対して信号伝送媒体の端末部を電気的に接続するものであって、前記配線パターンに弾性的に接触する接点部を有する導電性コンタクトが本体部に取り付けられた電気コネクタにおいて、前記製品筐体を構成する壁部に、板状部材からなる連結突部が片持ち状に突出するように設けられ、その連結突部に対して前記本体部が嵌合可能となるように構成されたものであって、前記配線パターンに、前記連結突部を構成する板状部材の表裏両面の少なくとも一方に露出する接点部が設けられているとともに、前記導電コンタクトが、前記連結突部に対する嵌合方向と略平行な方向に沿って延在するように配置され、その導電コンタクトの接点部は、前記本体部が前記連結突部に嵌合された状態において、前記連結突部を表裏両面から挟み込み前記配線パターンの接点部に接触するように配置された構成が採用されている。
【０００７】
また、本発明においては、所定の電子回路を有する電子機器の製品筐体を構成する壁部の表面上に形成された配線パターンと、その配線パターンに接点部が接触することによって信号伝送媒体の端末部を電気的に接続する導電コンタクトが本体部に取り付けられた電気コネクタと、を備えた電気コネクタ組立体において、前記製品筐体を構成する壁部に、板状部材からなる連結突部が片持ち状に突出するように設けられ、その連結突部に対して前記電気コネクタの本体部が嵌合可能となるように構成されたものであって、前記配線パターンに、前記連結突部を構成する板状部材の表裏両面の少なくとも一方に露出する接点部が設けられているとともに、前記導電コンタクトが、前記連結突部に対する嵌合方向と略平行な方向に沿って延在するように配置され、その導電コンタクトの接点部は、前記本体部が前記連結突部に嵌合された状態において、前記連結突部を表裏両面から挟み込み前記配線パターンの接点部に接触するように配置された構成が採用されている。
【０００８】
このような構成によれば、所定の電子回路を有する電子機器を構成している製品筐体の壁部に設けられた連結突部に対して単体のコネクタが直接的に嵌合されるようになっており、その単体のコネクタの嵌合状態において、連結突部の表裏両面の少なくとも一方に露出している配線パターンの接点部に対して導電コンタクトの接点部が接触される。そのため、従来から用いられている回路基板や、その回路基板に実装される嵌合相手となる電気コネクタを介在することなく、信号伝送媒体の電気的な接続が簡易な構成で行われるようになっている。
【０００９】
特に、本発明では、製品筐体の連結突部の表裏両面の双方において導電コンタクトが圧接された状態で電気コネクタの嵌合が行われるため、導電コンタクトの圧接力を連結突部の表裏両面から相殺させるように付与させることが可能となるとともに、電気コネクタの嵌合構造が製品筐体の表裏両面の双方で構成されることから、製品筐体の壁部の厚さ方向への飛び出し量が低減されることとなって電気コネクタの薄型化が図られる。また、製品筐体の表裏両面に対して電気コネクタを反転させて嵌合させても同様な嵌合構造を得ることが可能となることから、信号伝送媒体の端末部分に関する引き回し方向の自由度が増大する。
【００１０】
また、本発明においては、前記導電コンタクトが、信号を伝送するシグナルコンタクトと、そのシグナルコンタクトの両側に配置された接地用のグランドコンタクトと、からなる構成とすることが望ましい。
【００１１】
このような構成とすれば、シグナルコンタクトの両側にグランドコンタクトが配置されているため、シグナルコンタクトに対するインピーダンス等の調整が良好に行われる。
【００１２】
さらに、本発明においては、前記シグナルコンタクトの両側に配置された接地用のグランドコンタクトどうしを一体的に連結するグランド連結板が設けられたものであって、前記グランド連結板は、前記シグナルコンタクトにおける嵌合方向の前端部分よりも前方側に配置されていることが望ましい。
【００１３】
このような構成とすれば、グランドコンタクトの自由端部分がグランド連結板により保持されて剛性が高められるとともに、シグナルコンタクトの自由端部分がグランド連結板により保護されることから、電気コネクタの嵌合時における変形が防止され、良好な嵌合作業が行われる。
【００１４】
また、本発明における前記連結突部及び本体部には、嵌合方向において係脱可能となるように構成されたロック部が設けられていることが望ましい。
【００１５】
このような構成とすれば、導電コンタクトの電気的な接続状態がロック部により安定的に維持されて耐振動性や耐衝撃性が向上されるとともに、嵌合時における、いわゆるクリック感が得られることから嵌合作業が円滑に行われる。
【００１６】
また、本発明においては、前記グランドコンタクトに設けられた接点部が、前記シグナルコンタクトに設けられた接点部よりも、前記嵌合方向において前方側に配置されていることが望ましい。
【００１７】
このような構成とすれば、連結突部に対する電気コネクタの嵌合時又は抜去時に発生する荷重が、グランドコンタクトとシグナルコンタクトとの間で分散されることとなり、電気コネクタの嵌合・抜去における作業力が低減されることにより作業性が向上されるとともに、信号回路が形成されるよりも先にグランド回路が形成されるために、グランド回路が信号回路の保護回路として機能して安全性が向上される。
【発明の効果】
【００１８】
以上述べたように本発明は、所定の電子回路を有する電子機器を構成する製品筐体の壁部に設けられた連結突部に対して単体のコネクタを直接的に嵌合させることにより、連結突部の表裏両面に露出している配線パターンの両接点部に導電コンタクトの接点部をそれぞれ接触させて、従来から用いられている回路基板や、その回路基板に実装される嵌合相手となる電気コネクタを介在することなく、信号伝送媒体の電気的な接続を簡易な構成で行うとともに、製品筐体の連結突部の表裏両面に対する導電コンタクトの圧接構造によって導電コンタクトの圧接力を相殺させ、かつ電気コネクタの嵌合構造を製品筐体の表裏両面に分散させることにより飛び出し量を低減して電気コネクタの薄型化を図り、また電気コネクタを反転嵌合させても同様な嵌合構造とすることにより信号伝送媒体の端末部の引き回し方向の自由度を増大させるように構成したものであるから、回路基板や嵌合相手の電気コネクタ等を省略することによって電気コネクタの構成を極めて簡易なものとすることができ、電気コネクタの低背化及び低コスト化を大幅に図ることができる。
【図面の簡単な説明】
【００１９】
【図１】本発明の一実施形態にかかる電気コネクタを用いた接続作業の途中状態を表した外観斜視説明図である。
【図２】図１に示された本発明の一実施形態にかかるプラグコネクタを嵌合させる前の状態を嵌合方向の前方側から表した外観斜視説明図である。
【図３】図１及び図２に示された本発明の一実施形態にかかるプラグコネクタの構造を上方側から表した平面説明図である。
【図４】図３の中の  ＩＶ  −  ＩＶ  線に沿った縦断面説明図である。
【図５】図３の中の  Ｖ  −  Ｖ  線に沿った縦断面説明図である。
【図６】図１〜図５に示されたプラグコネクタを各部に分解して後方側から表した外観斜視説明図である。
【図７】図１〜図５に示されたプラグコネクタに対して信号伝送媒体としての細線同軸ケーブルを連結する前の状態を後方側から表した外観斜視説明図である。
【図８】図１〜図５に示されたプラグコネクタに対して信号伝送媒体としての細線同軸ケーブルをセットした状態を後方側から表した外観斜視説明図である。
【図９】図１〜図５に示されたプラグコネクタに対して信号伝送媒体としての細線同軸ケーブルをセットした後に導電性シェルの蓋部を折り曲げて被せた状態を後方側から表した外観斜視説明図である。
【図１０】通常用いられている一般の電気コネクタによる接続状態を表した外観斜視説明図である。
【発明を実施するための最良の形態】
【００２０】
以下、信号伝送媒体として細線同軸ケーブルを用いて、電子機器の製品筐体に対して側方から直接的に嵌合するように構成された水平嵌合型の電気コネクタに本発明を適用した場合の実施形態についての説明を図面に基づいて詳細に行う。
【００２１】
図１〜図９に示されている本発明の一実施形態にかかるプラグコネクタ１０は、所定の電子回路を有する携帯電話等の電子機器を構成している製品筐体ＭＦの壁部に対して直接的に嵌合される構成になされたものであって、その電子機器の製品筐体ＭＦを構成している壁部の内表面又は外表面には、アンテナや種々の回路の一部を構成する配線パターンＣＰが印刷等により形成されている。そして、この本発明の一実施形態にかかるプラグコネクタ１０を介して、製品筐体ＭＦの表面上に形成されている配線パターンＣＰに、信号伝送媒体として形成された細線同軸ケーブルＳＣの端末部分が電気的に接続されるようになっている。
【００２２】
すなわち、上述した製品筐体ＭＦの壁部に設けられた一端縁部には、当該一端縁部から片持ち状に突出する連結突部ＭＦａが形成されており、その製品筐体ＭＦの壁部に設けられた板状部材からなる連結突部ＭＦａに対してプラグコネクタ１０が嵌合されるようになっている。そのプラグコネクタ１０には、信号伝送媒体としての細線同軸ケーブルＳＣの端末部が連結されており、当該細線同軸ケーブルＳＣが連結された状態のプラグコネクタ１０が、まず図１及び図２に示されているように前記連結突部ＭＦａに対して略水平方向に対面するように配置される。その後、製品筐体ＭＦの壁部の表裏両面に対して略平行な方向にプラグコネクタ１０が前進するように移動されていき、図３〜図５に示されているように前記連結突部ＭＦａの全体の外方をプラグコネクタ１０で覆うようにして嵌合が行われる。
【００２３】
このように、製品筐体ＭＦの連結突部ＭＦａに対してプラグコネクタ１０が嵌合された状態において、細線同軸ケーブルＳＣの端末部が配線パターンＣＰに接続される構成になされているが、以下、そのプラグコネクタ１０に関しては、当該プラグコネクタ１０を差し込む方向を前方向とし、それとは反対に抜き出す抜去方向を後方向とする。また、連結突部ＭＦａに関しては、プラグコネクタ１０側に向かって突出する方向を前方向とし、それとは反対の方向を後方向とする。
【００２４】
また、上述したように連結突部ＭＦａは、平面視において略矩形状をなす板状部材から形成されているが、その連結突部ＭＦａを構成している板状部材の厚さ方向における表裏両面に関しては、プラグコネクタ１０の嵌合方向に対して直交する方向である板幅方向を左右方向とする。
【００２５】
その板状部材からなる連結突部ＭＦａの板厚方向における表裏両面の少なくとも一方には、上述した配線パターンＣＰの端末部分が、後方側から前方側、つまり当該連結突部ＭＦａの突出方向に向かって延在するように形成されている。そして、その連結突部ＭＦａの左右方向（板幅方向）における中央部分には、信号導電路ＣＰａが配置されているとともに、当該信号導電路ＣＰａに対して同方向に隣接する両側には、グランド導電路ＣＰｂが略平行に延出するように形成されている。これらの配線パターンＣＰを構成する信号導電路ＣＰａ、及びグランド導電路ＣＰｂは、前記連結突部ＭＦａにおける表裏両面の少なくとも一方の表面に露出するように形成されていて、それらの露出部分に接点部が設けられている。なお、連結突部ＭＦａの表裏表面の双方に信号導電路ＣＰａを形成した場合には、表面と裏面との間で信号導電路ＣＰａのパターンどうしをつなげる工程が増えるだけでなく、表裏２つの信号導電路ＣＰａの特性を合わせることが難しくなるので、表裏面のどちらか一方に信号導電路ＣＰａを設ける方法が一般的に用いられる。
【００２６】
一方、プラグコネクタ１０は、前述したように製品筐体ＭＦの連結突部ＭＦａに対して略水平に嵌合される水平嵌合型コネクタから構成されているが、そのプラグコネクタ１０の後方側の端縁部には、信号伝送媒体の一例としての細線同軸ケーブルＳＣの端末部分が連結されている。この細線同軸ケーブルＳＣは、プラグコネクタ１０の後方側端縁部から上述した嵌合方向と直交する方向である左右方向に略沿うようにして延出している。
【００２７】
その信号伝送媒体としての細線同軸ケーブルＳＣの端末部分は、外周被覆材が皮剥きされることによってケーブル中心導体（信号線）ＳＣａ及びケーブル外部導体（シールド線）ＳＣｂが同軸状をなすように露出されており、当該細線同軸ケーブルＳＣの中心軸線に沿うようにして配置されたケーブル中心導体ＳＣａが、本体部としての絶縁ハウジング１１に取り付けられた信号用導電端子（シグナルコンタクト）１２に接続されることにより信号回路が構成される。また、上記ケーブル中心導体ＳＣａの外周側を取り囲むように配置されたケーブル外部導体ＳＣｂは、後述する導電性シェル１４に一体的に設けられたグランド用導電端子（グランドコンタクト）１３に接続され、それによってグランド回路が構成される。
【００２８】
このプラグコネクタ１０の本体部を構成している絶縁ハウジング１１は、嵌合方向と直交する略左右方向に延在するブロック状部材から構成されており、上述したように細線同軸ケーブルＳＣ、信号用導電端子（シグナルコンタクト）１２及びグランド用導電端子（グランドコンタクト）１３が取り付けられて保持されている。これらの細線同軸ケーブルＳＣ、信号用導電端子（シグナルコンタクト）１２及びグランド用導電端子（グランドコンタクト）１３の取付保持構造については後述することとするが、これらが取り付けられる絶縁ハウジング１１は、上述した製品筐体ＭＦの連結突部ＭＦａに対してプラグコネクタ１０が嵌合された際に、当該絶縁ハウジング１１の一端面（前端面）が、連結突部ＭＦａの先端縁に突き当てられる配置関係になされている。
【００２９】
また、その絶縁ハウジング１１の外側表面は、薄板金属状部材からなる導電性シェル１４によって覆われている。この導電性シェル１４は、特に図６〜図９に示されているように、前記絶縁ハウジング１１の外周側面を環状に覆うシェル本体部１４ａと、絶縁ハウジング１１の後端側部分を覆うシェル蓋部１４ｂと、前記シェル本体部１４ａから前方側に突出するように配置されたシェル嵌合部１４ｃと、から構成されている。
【００３０】
このうちのシェル本体部１４ａは、前方又は後方から見たときに略矩形状の開口部を有する中空の環状体をなすように形成されていて、前後方向に連通する前端開口部及び後端開口部を有していることによって、上述したように絶縁ハウジング１１の側壁部を外周側から取り囲むように装着されている。また、このシェル本体部１４ａの前端開口部における左右両側からは、横断面略「コ」の字形状をなすシェル嵌合部１４ｃが前方に向かって突出するように設けられている。これらの左右両側に配置された一対のシェル嵌合部１４ｃ，１４ｃは、上述した絶縁ハウジング１１と同様に本体部の一部を構成するものであって、略「コ」の字形状の中空部分が左右方向において互いに対向するように配置されている。そして、それらの両シェル嵌合部１４ｃ，１４ｃが前後方向に沿って延在するように設けられていることによって、当該シェル嵌合部１４ｃの前端側部分に、上述した板状部材からなる連結突部ＭＦａを内方側に受け入れる挿入嵌合口が形成されている。
【００３１】
また、上述したシェル本体部１４ａの後端開口部においては、左右方向における一端部分（図８の下端部分）に、後方側に向かって開口する断面略半円形状をなすケーブル支持部１４ｅが設けられている。このケーブル支持部１４ｅは、シェル本体部１４ａから左右方向（図８の下方向）に向かって略水平に突出するように設けられており、当該ケーブル支持部１４ｅの内壁面に対して、上述した細線同軸ケーブルＳＣの端末部分が載置されて受けられるようになっている。
【００３２】
さらに、前述した導電性シェル１４のシェル蓋部１４ｂは、細線同軸ケーブルＳＣの端末部分を連結する前の状態、つまり初期状態においては、図６〜図８に示されているような開放状態になされている。そして、その初期状態におけるシェル蓋部１４ｂは、上述したケーブル支持部１４ｅの反対側に位置する端部（図８の上端部）に、細幅状をなすシェル連結板１４ｆを介して後方側に向かって突出するように形成されている。そのシェル連結板１４ｆの内表面側には、前記絶縁ハウジング１１から、同じく後方側に向かって突出するように設けられた絶縁押圧板１１ａが沿うように配置されている。
【００３３】
そして、上述したような導電性シェル１４の開放状態において、細線同軸ケーブルＳＣの端末部分が、図７の状態から図８のようにしてケーブル支持部１４ｅに受けられるように載置されセットされた後に、図９に示されているようにシェル連結板１４ｆが、前記絶縁押圧板１１ｃとともに略直角に折り曲げられる。これにより、前後方向に延在していた初期状態における導電性シェル１４のシェル蓋部１４ｂが、左右方向に延在する組立て状態まで倒されるように押し曲げられ、これによって絶縁ハウジング１１の後端面、及びシェル本体部１４ａの後端開口部が、シェル蓋部１４ｂにより後方側から覆われて導電性シェル１４が閉塞状態になされる。
【００３４】
このように閉塞状態になされたシェル蓋部１４ｂは、シェル本体部１４ａを後方外方側から覆うように被せられているとともに、上述したケーブル支持部１４ｅ及び細線同軸ケーブルＳＣを後方外方側から覆う構成になされている。すなわち、当該シェル蓋部１４ｂには、上述したケーブル支持部１４ｅ及び細線同軸ケーブルＳＣに相当する位置に、第１保持部１４ｇ及び第２保持部１４ｈが、横断面コの字形状をなすように設けられている。それらの第１保持部１４ｇ及び第２保持部１４ｈは、横断面コの字形状の開放側部分がケーブル支持部１４ｅ及び細線同軸ケーブルＳＣに対面するように形成されていて、前述したようにシェル蓋部１４ｂが略左右方向に延在するように押し曲げられた際に、ケーブル支持部１４ｅ及び細線同軸ケーブルＳＣを縦断面コの字形状に覆うように構成されている。それらの第１保持部１４ｇ及び第２保持部１４ｈは、開放部分を構成している両側板状部材の先端部分が、例えば図９の矢印Ａで示されているようにして内方側に折り曲げられ、カシメが行われることによって固定状態になされる。その結果、ケーブル外部導体ＳＣｂがケーブル支持部１４ｅと第１保持部１４ｇとに接触し、それによって導電性シェル１４によるグランド回路が構成される。
【００３５】
ここで、グランド用導電端子（グランドコンタクト）１３は、上述した導電性シェル１４のシェル本体部１４ａと一体的に設けられた構成になされていて、そのシェル本体部１４ａの前端側開口縁部から当該グランド用導電端子１３が前方側に突出するように形成されている。このグランド用導電端子１３は、上述した板状部材からなる連結突部ＭＦａの板厚方向の表裏両面に対応して設けられており、連結突部ＭＦａの表裏両面の一方に対応したグランド用導電端子１３と、他方に対応したグランド用導電端子１３とは、連結突部ＭＦａの板厚方向において対称的な構成になされている。従って、以下においては、主として一方のグランド用導電端子１３について説明することとする。
【００３６】
すなわち、連結突部ＭＦａの表裏両面の一方に対応して設けられたグランド用導電端子１３は、上述したシェル本体部１４ａの左右両側部分に設けられた一対のシェル嵌合部１４ｃ，１４ｃの内方領域に沿って一対のものが設けられている。それらの各グランド用導電端子１３は、上述したようにシェル本体部１４ａの前端側開口縁部から前方側、つまり連結突部ＭＦａに対する嵌合方向と略平行な方向に向かって片持ち状をなすようして延出しており、その延出側の先端部分が、連結突部ＭＦａの板圧方向（上下方向）に弾性変位可能な自由端部分になされている。
【００３７】
これら一対のグランド用導電端子１３，１３の延出側先端部分である自由端部分は、前記連結突部ＭＦａの表面に設けられた配線パターンＣＰに向かって断面略「Ｖ」字形状をなすように折り曲げ成形されており、その折り曲げ成形部分の頂点部に、配線パターンＣＰに接触するグランド接点部１３ａがそれぞれ設けられている。これらの各グランド接点部１３ａは、上述したように片持ちビーム状をなすグランド用導電端子１３の上下方向の弾性変位作用によってグランド導電路ＣＰｂの表面上に圧接されるように構成されており、その弾性的な接触によって電気的な接続が行われてグランド回路が構成されるようになっている。
【００３８】
さらに、これら一対のグランド用導電端子（グランドコンタクト）１３，１３における自由端部分どうしは、左右方向に沿って延在するグランド連結板１３ｂにより一体的に連結されている。このグランド連結板１３ｂは、前記連結突部ＭＦａの表裏両面から斜めに跳ね上げられた形状になされている。
【００３９】
なお、前述したようにシェル嵌合部１４ｃは、連結突部ＭＦａを受け入れる挿入嵌合口を形成しているが、その挿入嵌合口を通して連結突部ＭＦａが嵌合された時のシェル嵌合部１４ｃには、上記グランド用導電端子１３の弾性変位作用が連結突部ＭＦａを介して受けられる。そのため、当該グランド用導電端子１３による弾性変位力が、連結突部ＭＦａを挟んでシェル嵌合部１４ｃにより相殺されることとなる。
【００４０】
また、シェル嵌合部１４ｃを構成している左右両側の立壁板には、前記連結突部ＭＦａの側壁面に向かって突出するロック係合部１５が凸形状をなすように設けられているとともに、そのシェル本体部１４ａ側のロック係合部１５に対応して、前記連結突部ＭＦａの側壁面には、凹形状をなすロック係止部ＭＦｂが形成されている。これらのロック部を構成しているロック係合部１５及びロック係止部ＭＦｂは、嵌合方向において係脱可能となるように構成されており、連結突部ＭＦａに対してプラグコネクタ１０が嵌合された際に、シェル本体部１４ａ側のロック部１５が、連結突部ＭＦａ側の係止部ＭＦｂに凹凸状に嵌合してプラグコネクタ１０の固定が行われるようになっている。
【００４１】
一方、信号を伝送するための信号用導電端子（シグナルコンタクト）１２は、絶縁ハウジング１１に対して圧入又はインサート成形等により取り付けられているが、上述した連結突部ＭＦａの板厚方向における表裏両面を両側から挟み込むように形成されている。この信号用導電端子１２は、特に図４及び図６に示されているように、上述した細線同軸ケーブルＳＣのケーブル中心導体（信号線）ＳＣａに接続されるケーブル挟持部１２ａと、そのケーブル挟持部１２ａから前方側に向かって片持ち状をなすように延出して前記配線パターンＣＰの信号導電路ＣＰａに接触する一対の弾性バネ部１２ｂ，１２ｂと、を有している。
【００４２】
そのうちのケーブル挟持部１２ａは、平面視において略「く」の字形状をなすように折り曲げ形成されたクリップビーム構造になされており、細線同軸ケーブルＳＣのケーブル中心導体（信号線）ＳＣａを前後方向からクリップ状に挟むように形成されている。このケーブル挟持部１２ａを構成している後方側ビーム部１２ｃの途中部分には、前記ケーブル中心導体（信号線）ＳＣａを後方側から押圧する凹部が設けられている。
【００４３】
このケーブル挟持部１２ａを構成している後方側ビーム部１２ｃは、上述した細線同軸ケーブルＳＣの端末部分を連結する前の初期状態において、例えば図７及び図８に示されているような開放状態になされている。すなわち、その初期状態における後方側ビーム部１２ｃは、斜め後方に向かって板状をなして延出する形状を有しており、細線同軸ケーブルＳＣの端末部分が図８のようにケーブル支持部１４ｅ内に受けられるようにしてセットされた状態から、図９に示されているように導電性シェル１４のシェル蓋部１４ｂが絶縁押圧板１１ａとともに略左右方向（図３の上下方向）に延在する方向に押し曲げられると、当該ケーブル挟持部１２ａの後方側ビーム部１２ｃが、絶縁押圧板１１ａによって同じく略左右方向（図３の上下方向）に延在する方向に押し曲げられ、それによってケーブル中心導体（信号線）ＳＣａを後方側から押圧するように構成されている。
【００４４】
このようにケーブル中心導体（信号線）ＳＣａは、絶縁押圧板１１ａの押圧作用によってケーブル挟持部１２ａにおいて例えば図４に示されているように楕円状に潰された形状で挟持されることとなるが、本実施形態においては、上述した絶縁押圧板１１ａの肉厚が拡大されており、それによってインピーダンスのマッチングが良好に行われ、コネクタ特性の向上が図られるようになっている。
【００４５】
また、信号用導電端子（シグナルコンタクト）１２を構成している一対の弾性バネ部１２ｂ，１２ｂは、前記連結突部ＭＦａの表裏両面に対応して一対をなすように構成されており、その連結突部ＭＦａの表裏両面の一方に対応した信号用導電端子１２と、他方に対応した信号用導電端子１２とは、前記連結突部ＭＦａの厚さ方向において対称的な構成になされている。以下においては、一方の信号用導電端子１２について説明する。
【００４６】
すなわち、前記連結突部ＭＦａの表裏両面の一方に対応した弾性バネ部１２ｂは、上述した一対のグランド用導電端子（グランドコンタクト）１３，１３どうしの間部分において、前記連結突部ＭＦａに対する嵌合方向である前後方向と略平行な方向に沿うように延在しており、当該信号用導電端子１２の弾性バネ部１２ｂに対して、嵌合方向と直交する方向の両側に隣接して、上述した接地用のグランド用導電端子（グランドコンタクト）１３，１３が配置された構成になされている。
【００４７】
また、上述した信号用導電端子（シグナルコンタクト）１２を構成している弾性バネ部１２ｂは、上述したケーブル挟持部１２ａにおける上下両端縁部から前方に向かって片持ちビーム状をなすように延在しており、当該弾性バネ部１２ｂにおける延出側前端部分である自由端部分が、前記連結突部ＭＦａの表面に向かって湾曲状に張り出すように折り曲げ成形されている。そして、その湾曲状突出部分の頂点部が信号接点部１２ｄになされている。この弾性バネ部１２ｂに設けられた信号接点部１２ｄは、前述したようにして連結突部ＭＦａ上の信号導電路ＣＰａに設けられた信号接点部に対応する位置に設けられており、上述した片持ちビーム状をなす弾性バネ部１２ｂの弾性変位作用によって信号導電路ＣＰａ上の信号接点部に圧接され、それによって電気的な接続が行われる構成になされている。
【００４８】
このとき、前述したように一対のグランド用導電端子（グランドコンタクト）１３，１３どうしを連結しているグランド連結板１３ｂは、前記信号用導電端子（シグナルコンタクト）１２の嵌合方向における前端部分（自由端部分）よりも前方側に配置されている。すなわち、その信号用導電端子１２の周囲をグランド用導電端子１３が取り囲む配置関係になされていて、グランド用導電端子１３に設けられたグランド接点部１３ａが、信号用導電端子１２に設けられた信号接点部１２ｄよりも、嵌合方向において前方側に配置されている。それにより、信号用導電端子１２の信号接点部１２ｄをグランド用導電端子１３の間から視認することができる。
【００４９】
このように本実施形態においては、製品筐体ＭＦの壁部に対して単体のプラグコネクタ１０が直接的に嵌合されるようになっており、その単体のプラグコネクタ１０の嵌合状態において、連結突部ＭＦａの表裏両面に露出している配線パターンＣＰの両接点部、すなわち信号導電路ＣＰａ及びグランド導電路ＣＰｂに対して、信号用導電端子（シグナルコンタクト）１２の信号接点部１２ｄ、及びグランド用導電端子（グランドコンタクト）１３のグランド接点部１３ａがそれぞれ接触される。そのため、従来から用いられている回路基板や、その回路基板に実装される嵌合相手となる電気コネクタを介在することなく、信号伝送媒体の電気的な接続が簡易な構成で行われるようになっている。
【００５０】
特に、本実施形態では、製品筐体ＭＦの連結突部ＭＦａの表裏両面の双方に、グランド用導電端子（グランドコンタクト）１３及び信号用導電端子（シグナルコンタクト）１２が圧接された状態で電気コネクタ１０の嵌合が行われるため、それら両導電コンタクト１３，１２の圧接力を、連結突部ＭＦａの表裏両面で相殺させるように付与させることが可能となる。また、電気コネクタ１０の嵌合構造が製品筐体ＭＦの表裏両面の双方で構成されることから、製品筐体の壁部の厚さ方向への飛び出し量が低減されることとなって電気コネクタ１０の薄型化が図られる。また、製品筐体ＭＦの表裏両面に対して電気コネクタ１０を反転させて嵌合させても同様な嵌合構造を得ることが可能となることから、信号伝送媒体である細線同軸ケーブルＳＣの端末部分に関する引き回し方向の自由度が増大することとなる。
【００５１】
また、本実施形態では、信号用導電端子（シグナルコンタクト）１２の両側に、接地用のグランド用導電端子（グランドコンタクト）１３，１３が配置された構成になされていることから、信号用導電端子１２に対するインピーダンス調整が良好に行われるようになっている。
【００５２】
さらに、本実施形態においては、信号用導電端子（シグナルコンタクト）１２の両側に配置された接地用のグランド用導電端子（グランドコンタクト）１３，１３どうしを一体的に連結するグランド連結板１３ｂが、信号用導電端子１２における嵌合方向の前端部分よりも前方側に配置されていることから、グランド用導電端子１３の自由端部分がグランド連結板１３ｂにより保持されて剛性が高められるとともに、信号用導電端子１２の自由端部分がグランド連結板１３ｂにより保護され、電気コネクタ１０の嵌合時における変形が防止され、良好な嵌合作業が行われるだけでなく、信号用導電端子１２の自由端部分の変形を嵌合前に確認することができる。
【００５３】
さらに、本実施形態においては、連結突部ＭＦａ及び本体部としてシェル嵌合部１４ｃに、嵌合方向において係脱可能となるように構成されたロック部ＭＦｂ及び１５が設けられていることから、信号用導電端子（シグナルコンタクト）１２及びグランド用導電端子（グランドコンタクト）１３の電気的な接続状態が安定的に維持されるとともに、嵌合時における、いわゆるクリック感が得られることから嵌合作業が円滑に行われる。
【００５４】
このとき、ロック係合部１５とグランド用導電端子１３とが一体的に形成されているため、ロック係合部１５をグランド部材として用いることが可能であり、当該ロック係合部１５とロック係止部ＭＦｂの外周面との接触位置にもグランド導電路を設けることでグランド回路を増加させることができ、ＥＭＩ効果や伝送特性の向上を図ることができる。
【００５５】
また、本実施形態においては、グランド用導電端子（グランドコンタクト）１３に設けられたグランド接点部１３ａが、信号用導電端子（シグナルコンタクト）１２の信号接点部１２ｄよりも嵌合方向において前方側に配置されていることから、連結突部ＭＦａに対する電気コネクタ１０の嵌合時又は抜去時に発生する荷重が、グランド用導電端子１３と信号用導電端子１２との間で分散されることとなり、電気コネクタ１０の嵌合・抜去における作業力が低減されることにより作業性が向上されるとともに、信号回路が形成されるよりも先にグランド回路が形成されるために、グランド回路が信号回路の保護回路として機能して安全性が向上される。
【００５６】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００５７】
例えば、上述した実施形態は、水平嵌合型の電気コネクタに本発明を適用したものであるが、垂直嵌合型の電気コネクタに対しても同様に適用することができる。
【００５８】
さらに本発明は、上述した実施形態のような単体の細線同軸ケーブル用コネクタに限定されることはなく、多極状に配置された細線同軸ケーブル用コネクタや、細線同軸ケーブルと絶縁ケーブルとが複数混合したタイプの電気コネクタや、フレキシブル配線基板等が連結される電気コネクタ等についても同様に適用することが可能である。
【産業上の利用可能性】
【００５９】
以上のように本実施形態は、各種電気機器に使用される多種多様な電気コネクタに対して広く適用することが可能である。
【符号の説明】
【００６０】
１０  プラグコネクタ
１１  絶縁ハウジング（本体部）
１１ａ  絶縁押圧板
１２  信号用導電端子（シグナルコンタクト）
１２ａ  ケーブル挟持部
１２ｂ  弾性バネ部
１２ｃ  後方側ビーム部
１２ｄ  信号接点部
１３  グランド用導電端子（グランドコンタクト）
１３ａ  グランド接点部
１３ｂ  グランド連結板
１４  導電性シェル
１４ａ  シェル本体部
１４ｂ  シェル蓋部
１４ｃ  シェル嵌合部（本体部）
１４ｅ  ケーブル支持部
１４ｆ  シェル連結板
１４ｇ  第１保持部
１４ｈ  第２保持部
１５  ロック係合部（ロック部）
ＳＣ  細線同軸ケーブル（信号伝送媒体）
ＳＣａ  ケーブル中心導体（信号線）
ＳＣｂ  ケーブル外部導体（シールド線）
ＭＦ  製品筐体
ＭＦａ  連結突部
ＭＦｂ  ロック係止部（ロック部）
ＣＰ  配線パターン
ＣＰａ  信号導電路
ＣＰｂ  グランド導電路
【図１】
2011171129.tif 000003
【図２】
2011171129.tif 000004
【図３】
2011171129.tif 000005
【図４】
2011171129.tif 000006
【図５】
2011171129.tif 000007
【図６】
2011171129.tif 000008
【図７】
2011171129.tif 000009
【図８】
2011171129.tif 000010
【図９】
2011171129.tif 000011
【図１０】
2011171129.tif 000012
【手続補正書】
【提出日】平成23年2月1日(2011.2.1)
【手続補正２】
【補正対象書類名】明細書
【補正対象項目名】０００５
【補正方法】変更
【補正の内容】
【０００５】
そこで本発明は、簡易な構成によって、低背化及び低コスト化を大幅に図ることができるようにした電気コネクタ及び電気コネクタ組立体を提供することを目的とする。
【手続補正３】
【補正対象書類名】明細書
【補正対象項目名】０００６
【補正方法】変更
【補正の内容】
【０００６】
上記目的を達成するため本発明にかかる電気コネクタにおいては、所定の電子回路を有する電子機器の製品筐体を構成する壁部の表面上に配線パターンが形成され、その製品筐体壁部の配線パターンに対して信号伝送媒体の端末部を電気的に接続するものであって、前記配線パターンに弾性的に接触する接点部を有する導電性コンタクトが本体部に取り付けられた電気コネクタにおいて、前記製品筐体を構成する壁部に、板状部材からなる連結突部が片持ち状に突出するように設けられ、その連結突部に対して前記本体部が嵌合可能となるように構成されたものであって、前記配線パターンに、前記連結突部を構成する板状部材の表裏両面の少なくとも一方に露出する接点部が設けられているとともに、前記導電コンタクトが、前記連結突部に対する嵌合方向と略平行な方向に沿って延在するように配置され、その導電コンタクトの接点部は、前記本体部が前記連結突部に嵌合された状態において、前記連結突部を表裏両面から挟み込み前記配線パターンの接点部に接触するように配置された構成が採用されている。
【手続補正４】
【補正対象書類名】明細書
【補正対象項目名】０００７
【補正方法】変更
【補正の内容】
【０００７】
また、本発明にかかる電気コネクタ組立体においては、所定の電子回路を有する電子機器を構成するものであって、壁部の表面上に信号を伝送する配線パターンが形成された製品筐体と、上述した電気コネクタとからなる構成が採用されている。
【手続補正５】
【補正対象書類名】特許請求の範囲
【補正対象項目名】全文
【補正方法】変更
【補正の内容】
【特許請求の範囲】
【請求項１】
所定の電子回路を有する電子機器の製品筐体を構成する壁部の表面上に配線パターンが形成され、その製品筐体壁部の配線パターンに対して信号伝送媒体の端末部を電気的に接続するものであって、
前記配線パターンに弾性的に接触する接点部を有する導電性コンタクトが本体部に取り付けられた電気コネクタにおいて、
前記製品筐体を構成する壁部に、板状部材からなる連結突部が片持ち状に突出するように設けられ、その連結突部に対して前記本体部が嵌合可能となるように構成されたものであって、
前記配線パターンに、前記連結突部を構成する板状部材の表裏両面の少なくとも一方に露出する接点部が設けられているとともに、
前記導電コンタクトが、前記連結突部に対する嵌合方向と略平行な方向に沿って延在するように配置され、
その導電コンタクトの接点部は、前記本体部が前記連結突部に嵌合された状態において、前記連結突部を表裏両面から挟み込み前記配線パターンの接点部に接触するように配置されていることを特徴とする電気コネクタ。
【請求項２】
前記導電コンタクトが、信号を伝送するシグナルコンタクトと、そのシグナルコンタクトの両側に配置された接地用のグランドコンタクトと、からなることを特徴とする請求項１記載の電気コネクタ。
【請求項３】
前記シグナルコンタクトの両側に配置された接地用のグランドコンタクトどうしを一体的に連結するグランド連結板が設けられたものであって、
前記グランド連結板は、前記シグナルコンタクトにおける嵌合方向の前端部分よりも前方側に配置されていることを特徴とする請求項１記載の電気コネクタ。
【請求項４】
前記連結突部及び本体部には、嵌合方向において係脱可能となるように構成されたロック部が設けられていることを特徴とする請求項１記載の電気コネクタ。
【請求項５】
前記グランドコンタクトに設けられた接点部が、前記シグナルコンタクトに設けられた接点部よりも、前記嵌合方向において前方側に配置されていることを特徴とする請求項２記載の電気コネクタ。
【請求項６】
所定の電子回路を有する電子機器を構成するものであって、壁部の表面上に信号を伝送する配線パターンが形成された製品筐体と、
請求項１乃至請求項５のいずれかに記載の電気コネクタと、からなることを特徴とする電気コネクタ組立体。